(57)【要約】【課題】  従来のシールドケーブルを使用しただけでは演奏家が求めるサウンドの質を実現するのは困難であり、ノイズを低減し、音の抜けが良く、太くて腰のあるサウンドを実現できるシールドケーブルが求められていた。【解決手段】  係る問題を解決するために、両端にプラグを装着したシールドケーブルの、プラグとシールドケーブルの接続部外周であって、シールド被覆のないケーブル部分とプラグのハウジングとの間に非導電性材料からなるシールド層を設けた。【選択図】図2
2005322525.tif 000002
【特許請求の範囲】
【請求項１】
両端にプラグを装着したシールドケーブルにおいて、当該プラグとシールドケーブルの接続部外周であって、シールド被覆のないケーブル部分と当該プラグのハウジングとの間に非導電性材料からなるシールド層を設けたことを特徴とするシールドケーブル。
【請求項２】
請求項1に記載のシールドケーブルにおいて、前記非導電性材料が紙、布、プラスチック、ゴム、およびマイカであることを特徴とするシールドケーブル。
【請求項３】
請求項1または2に記載のシールドケーブルにおいて、前記非導電性材料からなるシールド層が前記非導電性材料のフィルムを少なくとも一層巻いたものであることを特徴とするシールドケーブル。
【発明の詳細な説明】
【技術分野】
【０００１】
本発明は、両端にプラグを装着したシールドケーブルに関し、更に詳細には伝達される信号のノイズを抑制することができるシールドケーブルに関する。
【背景技術】
【０００２】
エレキギターやエレクトーン等の電子楽器をシールドケーブルによってアンプに接続して音楽を演奏する際、シールドケーブルの良し悪しが、得られるサウンドの質に大きく影響することは、演奏家の間では経験的によく知られていることである。
【０００３】
これは、ケーブル内を伝達される電気信号が外部からの磁気や電波によって影響され、ノイズが発生するためである。
【０００４】
このようなノイズを防止するため、ケーブルそのもののシールドを高めたり、ケーブルとプラグとの接続部近傍においてシールド対策がとられてきている。
【０００５】
例えば、先行技術文献  特表平8-502618には絶縁導体を有する心材を備えたシールドケーブルが開示されている。このシールドケーブルでは、絶縁材から細長いリボン、および該リボンに平行に配置されかつ該リボンの両面に接着された１対の細長い金属箔ストリップを有する第１遮蔽部材が心材に長手方向に付着され、かつ心材のまわりに円周方向にほぼ平行に巻き付けられて２つの同心のほぼ閉じた遮蔽層を形成する。プラスチック材料の層が第１遮蔽部材を包囲し、また、第２遮蔽部材がプラスチック材料の層を包囲する。プラスチック材料の層が両遮蔽部材に接合される。第２遮蔽部材が不編組金属材料からつくられている。シールド・ケーブルには、非導電性材料からなる外側ジャケットが設けられている。すなわち当該先行技術文献は、従来の金属編組シールドの使用を排除して金属箔ストリップを使用することにより、心材を100%シールドできないという欠点を改善してシールド性を高め、併せて金属編組シールドが存在するためにプラグとの接続作業の作業性を低下させていたという問題を解決している。
【０００６】
また、先行技術文献  特開2000-151175には放射ノイズと伝道ノイズの両方を抑制することができるコア付シールドケーブルが開示されている。すなわち当該先行技術文献は、ケーブルの長さ方向の大部分はシールド被覆されているが、一部はシールド被覆されておらず、その非シールド部の周囲にフェライトコアが装着されていることを特徴とするコア付きシールドケーブルが開示されている。このようなコア付きシールドケーブルでは、ケーブルの長さ方向の大部分はシールド被覆されているので、放射ノイズを抑制できと共に、非シールド部の周囲にフェライトコアが装着されているので、伝導ノイズも抑制できる。すなわち、シールド被覆およびフェライトコアの相乗効果により放射ノイズ及び伝導ノイズを十分抑制できるようになっている。
【特許文献１】特表平8-502618号公報
【特許文献２】特開2000-151175号公報
【発明の開示】
【発明が解決しようとする課題】
【０００７】
しかしながら、従来のシールドケーブルを使用しただけでは演奏家が求めるサウンドの質を実現するのは困難であり、ノイズを低減し、音の抜けが良く、太くて腰のあるサウンドを実現できるシールドケーブルが求められていた。
【課題を解決するための手段】
【０００８】
係る問題を解決するために、シールドケーブルの種類とプラグの種類の組み合わせや、シールドケーブルとプラグの接続方法、あるいはこの接続部分のシールド方法を変えて研究を重ねた結果、シールドケーブルとプラグの接続部分の外周に紙、布、プラスチック、ゴム、およびマイカ等の非導電性材料の層を設けることにより、上記問題を解決することができることを見出し、本発明を完成するに至った。
【０００９】
すなわち、請求項1に記載した発明では、両端にプラグを装着したシールドケーブルについて、プラグとシールドケーブルの接続部外周であって、シールド被覆のないケーブル部分とプラグのハウジングとの間に非導電性材料からなるシールド層を設けた。
【００１０】
また、請求項2に記載した発明では、請求項1に記載のシールドケーブルについて、非導電性材料として紙、布、プラスチック、ゴム、およびマイカを使用することとした。
【００１１】
更に、請求項3に記載した発明では、請求項1または2に記載したシールドケーブルについて、非導電性材料からなるシールド層として非導電性材料のフィルムを少なくとも一層巻いたものを使用した。
【発明の効果】
【００１２】
上述したようにプラグとシールドケーブルの接続部外周であって、シールド被覆のないケーブル部分とプラグのハウジングとの間に非導電性材料からなるシールド層を設けることにより、従来の気になるノイズを無くすることができ、音の抜けが良く、太く腰のあるサウンドを実現することができるようになった。
【発明を実施するための最良の形態】
【００１３】
本発明に係るプラグ付シールドケーブルの構成について以下に説明する。
【００１４】
本発明に係るプラグ付シールドケーブルは、シールドケーブル、プラグ、非導電性材料からなるシールド層から構成される。
【００１５】
シールドケーブルとしては、一般に使用されているシールドケーブルであれば使用することができるが、よりシールド性を高めたケーブルを使用することが望ましい。
【００１６】
プラグも、一般に使用されているプラグであれば使用することができるが、電子楽器とアンプを接続するために使用するようなケーブルとして使用する場合には、フォーンプラグとして販売されているプラグを使用することが望ましい。
【００１７】
非導電性材料からなるシールド層としては、紙、布、プラスチック、ゴム、マイカ、その他の非導電性材料を使用することができ、紙としては例えばケント紙、油紙のほか、コピー用紙等の一般の紙であっても使用できる。また、布としては、絹、人絹、木綿、ウールのほかアクリルやナイロン等の合成繊維を使用したものであっても良い。ゴムとしては、天然ゴム、NBR、シリコンゴム等が使用でき、プラスチックとしては、ナイロン、PTFE、ポリプロピレン等の材料が使用できる。
【００１８】
図1は、本発明に係る実施例を示したものであり、プラグ付シールドケーブルのプラグを装着する際のプラグの構成部品と、シールドケーブルの端部を分解図として示したものである。
【００１９】
この実施例においては、プラグは二つに分割されたハウジング1と、コンタクト2と、チャック3から構成され、被覆の除去処理を行ったシールドケーブル4の心線はコンタクト2の端部に半田にて接続固定される。
【００２０】
図2は、シールドケーブル4の心線がコンタクト2の端部に半田にて接続固定され、ハウジング1をかぶせる前の状態を示したものであり、シールドケーブル4の端部外周にはチャック3が固定されている。
【００２１】
そして、このチャック3の外周側(すなわち、プラグとシールドケーブルの接続部外周であって、シールド被覆のないケーブル部分とプラグのハウジング1との間に相当する部分である)に、非導電性材料からなるシールド層5が設けられている。
【００２２】
この非導電性材料からなるシールド層5は、コンタクト2、チャック3、またはハウジング1等に接着剤で固定してもよいし、まったく固定せず、単にチャック3の外周に巻いておくだけでも良い。
【００２３】
また、プラグ付シールドケーブルの両端に使用される非導電性材料からなるシールド層5の材料は、同一の種類の材料を使用することも、それぞれ異なった種類の材料を使用することもできる。
【００２４】
更に、シールド層5は、一層だけとすることも複数層とすることもでき、複数層とする場合には、同一の材料のシールド層のみならず、複数種類の材料からなるシールド層を組み合わせても良い。
【産業上の利用可能性】
【００２５】
ここでは、エレキギターやエレクトーン等の電子楽器をアンプ等に接続するためのシールドケーブルを中心にして説明したが、本発明に係るプラグ付シールドケーブルは、これに限定されるものではなく、電気信号を送信するために使用されるケーブル全般に適用することができる。
【図面の簡単な説明】
【００２６】
【図１】図1は、本発明に係る実施例を示したものであり、プラグ付シールドケーブルのプラグを装着する際のプラグの構成部品と、シールドケーブルの端部を分解図として示したものである。
【図２】図2は、本発明に係るプラグ付シールドケーブルのプラグ部の分解図であり、シールドケーブルの心線がコンタクトの端部に半田にて接続固定され、ハウジングをかぶせる前の状態を示したものである。
【符号の説明】
【００２７】
1      ハウジング
2      コンタクト
3      チャック
4      シールドケーブル
5      シールド層 
【図１】
2005322525.tif 000003
【図２】
2005322525.tif 000004